(57)【要約】      （修正有）【課題】MP3プレーヤーを脱着自在に結合したり、パソコンによりペット玩具の名を付したり、他の指令を受けてペット玩具が動作することが可能なMP3プレーヤー付きペット玩具を提供する。【解決手段】ペット玩具２０と回路制御ユニット２３、MP3プレーヤー２６とを含むMP3プレーヤー付きペット玩具２において、ペット玩具は、動物の形状をまね、一つのヘッド部台座２１を有し、回路制御ユニットはヘッド部台座に設けてあり、MP3プレーヤーはペットのヘッド部形状をまね、ヘッド部台座に脱着自在であり、回路制御ユニットと電気的に接続し、回路制御ユニットの制御によりMP3プレーヤーから出力された音楽信号に応じて、ペット玩具が音声効果または動作を発生する。【選択図】図１
0003117664.tif 000002
【実用新案登録請求の範囲】
【請求項１】
ペット玩具と、回路制御ユニットと、MP3プレーヤーとを含むMP3プレーヤー付きペット玩具において、
前記ペット玩具は、動物の形状をまね、一つのヘッド部台座を有し、
前記回路制御ユニットは、ヘッド部台座に設けてあり、
前記MP3プレーヤーは、ペットのヘッド部形状をまね、前記ヘッド部台座に脱着自在であり、前記回路制御ユニットと電気的に接続し、
前記回路制御ユニットの制御により、MP3プレーヤーから出力された音楽信号に応じて、ペット玩具が音声効果または動作を発生することを特徴とする、
MP3プレーヤー付きペット玩具。
【請求項２】
前記回路制御ユニットは電源供給部と電気的に接続することを特徴とする、請求項１に記載のMP3プレーヤー付きペット玩具。
【請求項３】
前記回路制御ユニットは音声出力部と電気的に接続し、前記音声出力部は前記本体の外端に設けられ、イヤホーンは前記音声出力部と脱着自在に接続することが可能であることを特徴とする、請求項１に記載のMP3プレーヤー付きペット玩具。
【請求項４】
前記回路制御ユニットはブザーと電気的に接続することを特徴とする、請求項１に記載のMP3プレーヤー付きペット玩具。
【請求項５】
前記回路制御ユニットはパソコン連接界面と電気的に接続し、パソコンにより、ペット玩具の名付をしたり、他の指令を受けてペット玩具が動作をしたりすることが可能であることを特徴とする、請求項１に記載のMP3プレーヤー付きペット玩具。
【請求項６】
前記MP3プレーヤーには、パソコンとペット玩具との間の交信を表示するディスプレーが設けてあることを特徴とする、請求項５に記載のMP3プレーヤー付きペット玩具。
【請求項７】
前記回路制御ユニットは尾部と電気的に接続し、前記回路制御ユニットの制御により、ペット玩具の尾部が音声効果と光効果おとび動作を発生することを特徴とする、請求項１に記載のMP3プレーヤー付きペット玩具。
【請求項８】
前記尾部には発光ダイオードが一つ設けてあることを特徴とする、請求項７に記載のMP3プレーヤー付きペット玩具。
【請求項９】
前記回路制御ユニットは獣音声発生ユニットと電気的に接続することを特徴とする、請求項１に記載のMP3プレーヤー付きペット玩具。
【請求項１０】
前記MP3プレーヤーには、若干セットの模様を変化する発光ダイオード組が設けてあることを特徴とする、請求項１に記載のMP3プレーヤー付きペット玩具。
【考案の詳細な説明】
【技術分野】
【０００１】
本考案は、MP3プレーヤー付きペット玩具に係り、特に、MP3プレーヤーとペット玩具とを脱着自在に結合した構造であり、MP3プレーヤーをペット玩具に結合した場合には、MP3プレーヤーから出力した信号がペット玩具を作動させ、且つMP3プレーヤーをペット玩具から離脱した場合には、MP3プレーヤーとして単に使用することができるMP3プレーヤー付きペット玩具に関するものである。
【背景技術】
【０００２】
図４に示すのは従来のペット玩具の概略図である。ペット玩具１は、動物（例えば猫や犬など）の形状を真似ることができ、一つの胴体部１０と、一つのヘッド部１１と、複数の手部または足部１２と、一対の耳部１３とを含む。
【０００３】
前記ヘッド部１１と足部１２と耳部１３とは胴体部１０に枢着され、ペット玩具１が音楽信号を接収したときに、前記ヘッド部１１と足部１２と耳部１３とは予定の動作を作動する。
【０００４】
前記胴体部１０内には回路制御ユニットが設けてある。音声接収部（例えばヘッドフォン接続穴１５）は、胴体部１０に設けられ、回路制御ユニットと電気的に接続する。音楽プレーヤー１６（例えばＣＤウォークマン）などはヘッドフォン接続穴１５を通して音楽信号を回路制御ユニットに転送し、これにより、ペット玩具１が作動し、又はペット玩具１のヘッド部１１に設けられた複数の発光ダイオード１８が若干セットの模様を変化する。
【考案の開示】
【考案が解決しようとする課題】
【０００５】
しかしながら、これは次のような欠点があった。
（イ）ＣＤウォークマンは、体積が大きくて、信号ケーブル１７を通してペット玩具１と接続することが必要であるので、使用が極めて不便である。
【０００６】
（ロ）従来のペット玩具１は、パソコンと接続しないので、パソコンによって、ペット玩具の名付をしたり、他の指令を受けて動作をしたりすることができない。
【０００７】
本考案の主な目的は、ペット玩具に脱着自在なMP3プレーヤーを有し、MP3プレーヤーが音楽信号をペット玩具に転送するMP3プレーヤー付きペット玩具を提供する。
【０００８】
本考案の次の目的は、パソコン連接界面を有し、パソコンによって、ペット玩具の名付をしたり、他の指令を受けて動作をしたりすることが可能なMP3プレーヤー付きペット玩具を提供する。
【課題を解決するための手段】
【０００９】
上記目的を達成するためになされた本願の考案は、ペット玩具と、回路制御ユニットと、MP3プレーヤーとを含むMP3プレーヤー付きペット玩具において、前記ペット玩具は、動物の形状をまね、一つのヘッド部台座を有し、前記回路制御ユニットは、ヘッド部台座に設けてあり、前記MP3プレーヤーは、ペットのヘッド部形状をまね、前記ヘッド部台座に脱着自在であり、前記回路制御ユニットと電気的に接続し、前記回路制御ユニットの制御により、MP3プレーヤーから出力された音楽信号に応じて、ペット玩具が音声効果または動作を発生することを特徴とするMP3プレーヤー付きペット玩具であることを要旨としている。
【００１０】
本願の考案では、前記回路制御ユニットは電源供給部と電気的に接続することを特徴とする請求項１に記載のMP3プレーヤー付きペット玩具であることを要旨としている。
【００１１】
本願の考案では、前記回路制御ユニットは音声出力部と電気的に接続し、前記音声出力部は前記本体の外端に設けられ、イヤホーンは前記音声出力部と脱着自在に接続することが可能であることを特徴とする請求項１に記載のMP3プレーヤー付きペット玩具であることを要旨としている。
【００１２】
本願の考案では、前記回路制御ユニットはブザーと電気的に接続することを特徴とする請求項１に記載のMP3プレーヤー付きペット玩具であることを要旨としている。
【００１３】
本願の考案では、前記回路制御ユニットはパソコン連接界面と電気的に接続し、パソコンにより、ペット玩具の名付をしたり、他の指令を受けてペット玩具が動作をしたりすることが可能であることを特徴とする請求項１に記載のMP3プレーヤー付きペット玩具であることを要旨としている。
【００１４】
本願の考案では、前記MP3プレーヤーには、パソコンとペット玩具との間の交信を表示するディスプレーが設けてあることを特徴とする請求項５に記載のMP3プレーヤー付きペット玩具であることを要旨としている。
【００１５】
本願の考案では、前記回路制御ユニットは尾部と電気的に接続し、前記回路制御ユニットの制御により、ペット玩具の尾部が音声効果と光効果おとび動作を発生することを特徴とする請求項１に記載のMP3プレーヤー付きペット玩具であることを要旨としている。
【００１６】
本願の考案では、前記尾部には発光ダイオードが一つ設けてあることを特徴とする請求項７に記載のMP3プレーヤー付きペット玩具であることを要旨としている。
【００１７】
本願の考案では、前記回路制御ユニットは獣音声発生ユニットと電気的に接続することを特徴とする請求項１に記載のMP3プレーヤー付きペット玩具であることを要旨としている。
【００１８】
本願の考案では、前記MP3プレーヤーには、若干セットの模様を変化する発光ダイオード組が設けてあることを特徴とする請求項１に記載のMP3プレーヤー付きペット玩具であることを要旨としている。
【考案の効果】
【００１９】
本考案に係るMP3プレーヤー付きペット玩具によれば、次のような効果がある。
（イ）MP3プレーヤーをペット玩具に脱着自在に結合することができるので、MP3プレーヤーをペット玩具に結合した場合には、MP3プレーヤーから出力した信号がペット玩具を作動させ、且つMP3プレーヤーをペット玩具から離脱した場合には、MP3プレーヤーとして単に使用することができる。
【００２０】
（ロ）本考案に係るMP3プレーヤー付きペット玩具はパソコン連接界面（例えばＵＳＢ）を有し、パソコンによって、ペット玩具の名付をしたり、他の指令を受けて動作をしたりすることが可能である。
【００２１】
（ハ）本考案に係るMP3プレーヤー付きペット玩具は、MP3プレーヤーから出力された音楽信号に応じて、ペット玩具が音声効果または動作を発生する。      
【考案を実施するための最良の形態】
【００２２】
以下、添付図面を参照して本考案の好適な実施の形態を詳細に説明する。
【００２３】
まず、図１と図２を参照する。図１は本考案に係るMP3プレーヤー付きペット玩具の分解斜視図であり、図２は本考案に係るMP3プレーヤー付きペット玩具の組合状態を示す斜視図である。
【００２４】
本考案に係るMP3プレーヤー付きペット玩具２は、ペット玩具本体２０と、回路制御ユニット２３と、MP3プレーヤー２６とを含む。
【００２５】
前記ペット玩具本体２０は、動物（例えば猫や犬やウサギなど）の形状を真似る。前記本体２０は、一対の耳部２０１と、一つの尾部２０２と、複数の手部２０３または足部２０４を有する。前記耳部２０１と、尾部２０２と、複数の手部２０３または足部２０４は前記本体２０に枢着される。
【００２６】
前記本体２０の前端にはヘッド部台座２１が設けてあり、回路制御ユニット２３がヘッド部台座２１内に設けてある。MP3プレーヤー２６と連接するための連接界面２２が前記回路制御ユニット２３と電気的に連接し、且つ前記連接界面２２はヘッド部台座２１に設けられる。前記連接界面２２により、。MP3プレーヤー２６と回路制御ユニット２３とは交信できる。
【００２７】
前記MP3プレーヤー２６は、市販しているMP3プレーヤーの機能を有し、再生と、録音と、音量調整との機能を持ち、イヤホーン接続穴と、ディスプレー２６２となどを有する。だが、前記MP3プレーヤー２６は、ペットのヘッド部形状をまね、前記ヘッド部台座２１に脱着自在であり、且つ前記連接界面２２を通して前記回路制御ユニットと電気的に接続する。前記MP3プレーヤー２６と前記ヘッド部台座２１との結合方式機構は任意の機構を採用してもいい。例えば、図３に示すように、MP3プレーヤー２６の一側面には、連接界面２２とヘッド部台座２１にある複数の突起２１１とを嵌め込むための複数の定位案内溝２６３と嵌め溝２６４とが設けてあり、これにより、MP3プレーヤー２６がヘッド部台座２１に係止される。また、前記MP3プレーヤー２６の口部の位置には複数の発光ダイオード２６１が環設してあり、前記発光ダイオード２６１は若干セットの模様を変化する。
【００２８】
だから、MP3プレーヤー２６がヘッド部台座２１に連結し音楽信号を出力する場合には、前記回路制御ユニット２３の制御により、MP3プレーヤー２６から出力された音楽信号に応じて、ペット玩具が音声効果や光効果または動作を発生する。
【００２９】
また、耳部２０１にブザー２０５（ラッパー）を設けてもよく、音声効果はブザー２０５により出力する。良い音声品質を提供するために、ブザーはステレオ・ラッパーを採用してもいい。且つ複数の発光ダイオード２６１は若干セットの光模様を変化する。なお、点滅している赤色の発光ダイオード２６１を尾部２０２に設けてもいい。また、MP3プレーヤー２６から出力された音楽信号に応じて、ペット玩具の耳部２０１と、尾部２０２と、複数の手部２０３または足部２０４は動作を発生する。
【００３０】
前記尾部２０２には、発光ダイオードを取り付ける他、音声効果と光効果と動作とを制御するためのスイッチを取り付けてもいい。
【００３１】
また、前記回路制御ユニット２３は獣音声発生ユニットと電気的に接続する。例えば、ペット玩具本体２０の外観が犬を真似た場合には、獣音声発生ユニットが前記ブザー２０５を通して犬の吠える声を間欠的にまたは持続的に発生する。
【００３２】
また、ペット玩具本体２０の後端には、前記回路制御ユニット２３と電気的に接続した音声出力部２７と電源供給部２８とパソコン連接界面２９とを設けてもいい。
【００３３】
本考案に係る電源は、ペット玩具本体２０内に電池を設けてもいいし、電源供給部２８を通して外部の交流電源を取り入れてもいい。
【００３４】
音声出力部２７はアナログな音楽信号をユーザに提供するためのイヤホーン（図示せず）と接続することが可能である。また、前記回路制御ユニット２３はパソコン連接界面２９（例えばＵＳＢ）と電気的に接続し、だから、パソコンにより、ペット玩具の名付をしたり、他の指令を受けてペット玩具が動作をしたりすることが可能である。また、前記MP3プレーヤー２６には、パソコンとペット玩具との間の交信を表示するディスプレー２６２が設けてある。
【００３５】
本考案の使用方法は、MP3プレーヤー２６を、ペット玩具本体２０に結合して音楽信号をペット玩具２に転送し、または、ペット玩具本体２０から分離してMP3プレーヤーとして単に使用する。なお、MP3プレーヤー２６をヘッド部台座２１に連結し音楽信号を出力する場合には、前記回路制御ユニット２３の制御により、MP3プレーヤー２６から出力された音楽信号に応じて、ペット玩具２が音声効果や光効果または動作を発生する。
【図面の簡単な説明】
【００３６】
【図１】本考案に係るMP3プレーヤー付きペット玩具の分解斜視図である。
【図２】本考案に係るMP3プレーヤー付きペット玩具の組合状態を示す斜視図である。
【図３】図１の他の視点から見た斜視図である。
【図４】従来のペット玩具の概略図である。
【符号の説明】
【００３７】
１        従来のペット玩具            １０      胴体部
１１      ヘッド部                    １２      足部
１３      耳部                        １５      イヤホーン接続穴
１６      音楽プレーヤー              １８      発光ダイオード
１７      信号ケーブル
２        MP3プレーヤー付きペット玩具
２０      ペット玩具本体              ２１      ヘッド部台座
２１１    突起
２２      連接界面
２３      回路制御ユニット            ２６      MP3プレーヤー
２７      音声出力部                  ２８      電源供給部
２９      パソコン連接界面            ２６１    発光ダイオード
２６２    ディスプレー                ２６３    溝
２６４    嵌め溝                      ２０１    耳部
２０２    尾部                        ２０３    手部
２０４    足部                        ２０５    ブザー
【図１】
0003117664.tif 000003
【図２】
0003117664.tif 000004
【図３】
0003117664.tif 000005
【図４】
0003117664.tif 000006